(57)【要約】【課題】本発明は、靴下の品質等に関する表示を十分に行えるとともに、靴下自体が見えにくくなることがなく、嵩張ることもない靴下吊り下げ具を提供することを目的とする。【解決手段】紙片（シート状部材）を裁断することにより、基台部１２、基台部１２に連続する掛止部１４、及び掛止部１４と反対側において基台部１２に連続するバンド部１６、を一体的に形成して構成され、二つ折りにした靴下１８を掛止部１４に掛けて基台部１２及びバンド部１６により挟持し、基台部１２のフック２０を店舗の売り場のポール（吊り下げ部）２２へ係合することにより、靴下１８ポール２２に吊り下げる靴下吊り下げ具１０において、靴下１８を挟持して吊り下げた時に、基台部１２靴下１８の表面側を通ってバンド部１６まで延びる表示部２４を備えた。【選択図】図１
2010200972.tif 000002
【特許請求の範囲】
【請求項１】
シート状部材から、基台部、該基台部に連続する掛止部、及び該掛止部と反対側において該基台部に連続するバンド部、を形成して構成され、靴下を該掛止部に掛けて該基台部及びバンド部により挟持する靴下吊り下げ具において、
前記基台部から前記挟持された靴下の正面側を通って前記バンド部まで延びる表示部を備えた靴下吊り下げ具。
【請求項２】
前記表示部が、少なくとも一つの第一表示部と、少なくとも一つの第二表示部と、に分割され、該第一表示部が前記基台部から前記挟持された靴下の正面側を通って前記バンド部まで延び、該第二表示部が該基台部から該挟持された靴下の背面側を通って延びる請求項１に記載する靴下吊り下げ具。
【発明の詳細な説明】
【技術分野】
【０００１】
本発明は、店舗の陳列用ポール等の吊り下げ部に吊り下げるための靴下吊り下げ具に関する。
【０００２】
従来から、店舗の売り場で靴下を陳列等するために、靴下吊り下げ具が使用されている。また、この靴下吊り下げ具に関して出願されている（例えば、特許文献１及び２参照。）。これら靴下吊り下げ具によれば、二つ折りにした靴下を掛止部に掛けて基台部及びバンド部により挟持し、基台部のフックをポール等の吊り下げ部へ係合することにより、靴下を吊り下げ部に吊り下げることができる。
【０００３】
しかし、これら靴下吊り下げ具の場合、表面側における靴下の品質等に関する表示を行える部分が主としてバンド部の表面に限られるため、靴下の保温、消臭又は足首サポート等の効果を効率的に表示できなかった。一方、表示を行える部分を広くするためにバンド部の表面積を広くした場合、靴下自体が消費者から見えにくくなるとともに、嵩張るという問題があった。
【先行技術文献】
【特許文献】
【０００４】
【特許文献１】実開昭５３−５２７９６号公報
【特許文献２】実公昭５７−２７３３４号公報
【発明の概要】
【発明が解決しようとする課題】
【０００５】
そこで、本発明者は、このような課題の原因を究明してこのような課題を解決するべく、鋭意研究を重ねた結果、本発明に至ったのである。
【０００６】
すなわち、本発明は、靴下の品質等に関する表示を十分に行えるとともに、靴下自体が見えにくくなることがなく、嵩張ることもない靴下吊り下げ具を提供することを目的とする。
【課題を解決するための手段】
【０００７】
本発明の靴下吊り下げ具は、シート状部材から、基台部、該基台部に連続する掛止部、及び該掛止部と反対側において該基台部に連続するバンド部、を形成して構成され、靴下を該掛止部に掛けて該基台部及びバンド部により挟持する靴下吊り下げ具において、前記基台部から前記挟持された靴下の正面側を通って前記バンド部まで延びる表示部を備えたことを特徴とする。
【０００８】
また、本発明の靴下吊り下げ具は、前記靴下吊り下げ具において、前記表示部が、少なくとも一つの第一表示部と、少なくとも一つの第二表示部と、に分割され、該第一表示部が前記基台部から前記挟持された靴下の正面側を通って前記バンド部まで延び、該第二表示部が該基台部から該挟持された靴下の背面側を通って延びることを特徴とする。
【発明の効果】
【０００９】
本発明の靴下吊り下げ具によれば、バンド部のみならず、表示部においても靴下に関する表示が行えるため、靴下の品質等に関する表示を十分に行える。また、靴下に関する表示を行う部分を広めるために、バンド部を広めたり他の部材を追加したりした構成ではないため、靴下自体が消費者にとって見えにくくなることがないとともに、嵩張ることもない。
【図面の簡単な説明】
【００１０】
【図１】本発明の靴下吊り下げ具を示す図であり、同図（ａ）は正面図であり、同図（ｂ）は背面図である。
【図２】図１の靴下吊り下げ具の展開図であり、同図（ａ）は正面図であり、同図（ｂ）は背面図である。
【図３】図１の靴下吊り下げ具の使用状態を説明するための図であり、同図（ａ）は第二の表示部を折り返した状態を示す正面図であり、同図（ｂ）は靴下を掛けた状態を示す正面図である。
【図４】図１の靴下吊り下げ具の使用状態を説明するための図であり、同図（ａ）は掛止部を折り返した状態を示す正面図であり、同図（ｂ）はバンド部を折り返した状態を示す正面図である。
【図５】本発明の靴下吊り下げ具の他の実施形態を説明するための正面図である。
【発明を実施するための形態】
【００１１】
次に、本発明に係る靴下吊り下げ具について、図面に基づいて詳しく説明する。図１において、符号１０は、本発明の靴下吊り下げ具である。
【００１２】
本発明の靴下吊り下げ具１０は、図２に示すように、紙片（シート状部材）を裁断することにより、基台部１２、基台部１２に連続する掛止部１４、及び掛止部１４と反対側において基台部１２に連続するバンド部１６、を一体的に形成して構成され、二つ折りにした靴下１８を掛止部１４に掛けて基台部１２及びバンド部１６により挟持し、基台部１２に取り付けたフック２０を店舗の売り場のポール（吊り下げ部）２２へ係合することにより、靴下１８をポール２２に吊り下げる靴下吊り下げ具において、図１に示すように、靴下１８を挟持して吊り下げた時に、基台部１２靴下１８の表面側を通ってバンド部１６まで延びる表示部２４を備えた靴下吊り下げ具である。
【００１３】
基台部１２は、図２（ａ）に示すように、長方形に構成され、裏面には、図２（ｂ）に示すように、商品説明欄２６が設けられている。掛止部１４は、靴下１８の二つ折り部を掛けた時に靴下１８が靴下吊り下げ具１０に沿って略平行となるように、上辺が斜辺となっている。バンド部１６は、靴下１８を吊り下げた時に正面側から裏面が見えるため、裏面に「さらりあたたか」等の表示がなされている。また、バンド部１６の先端には、基台部１２の係合溝２８に係合される係合突起３０が設けられている。
【００１４】
表示部２４は、図２に示すように、一つの第一表示部３２と二つの第二表示部３４とに分割され、靴下１８を吊り下げた時に、図１に示すように、第一表示部３２は、基台部１２から靴下１８の正面側を通ってバンド部１６まで延び、第二表示部３４は、基台部１２から靴下１８の背面側を通って延びるように構成されている。第一表示部３２の先端には、バンド部１６の係合溝３６に係合される係合突起３８が設けられている。第一表示部３２の裏面は、靴下１８を吊り下げた時に、靴下１８よりも正面側の消費者から見えやすい位置となるため、「消臭」のような品質表示又は広告文等、消費者の購買意欲を喚起するような表示がなされ、消費者の目を引くような模様も付される。第二表示部３４の裏面は、靴下１８を吊り下げた時に、靴下１８よりも背面側の位置となり大半が靴下１８に隠れるが、靴下１８よりも上に位置する部分は消費者から見えるため、第一の表示部３２とのバランスやコントラストを考慮したような模様が付される。また、靴下１８よりも上に位置し消費者から見える部分には、「ＧＧ．ＬＴＤ．」のロゴマーク等の表示がなされる。
【００１５】
このような構成の靴下吊り下げ具１０の使用方法について以下に説明する。本発明の靴下吊り下げ具１０を用いて靴下１８を包装して吊り下げる場合、まず、図３（ａ）に示すように、フック２０を取り付け、第二表示部３４を折り返す。第二表示部３４を折り返すことにより、第二表示部３４の裏面が正面側に表れる。次に、図３（ｂ）に示すように、靴下１８を二つ折りにして掛止部１４に掛けることにより、靴下１８が保持される。
【００１６】
その後、図４（ａ）に示すように、靴下１８を保持した掛止部１４を基台部１２の正面側へ折り返し、図４（ｂ）に示すように、バンド部１６を靴下１８の正面側へ折り返して係合突起３０を係合溝２８に係合する。これにより、靴下１８は、基台部１２とバンド部１６とによって挟持される状態となる。
【００１７】
次に、第一の表示部３２を靴下１８の正面側へ折り返して係合突起３８を係合溝３６に係合し、フック２０を店舗のポール２２へ係合することにより、図１に示すように、靴下１８が店舗内で陳列される。この時、第一の表示部３２の「消臭」等の表示が、消費者から見えやすい靴下１８の正面側に位置することとなる。また、第二の表示部３４の「ＧＧ．ＬＴＤ．」の表示も、消費者から見えることとなる。
【００１８】
このような靴下吊り下げ具１０によれば、バンド部１６のみならず、第一の表示部３２及び第二の表示部３４においても靴下１８に関する表示が行えるため、靴下１８の品質等に関する表示を十分に行える。また、第二の表示部３４を靴下１８の背面側へ折り返すため、靴下１８自体が消費者にとって見えにくくなることがない。また、靴下に関する表示を行う部分を広めるために、バンド部１６を広めたり他の部材を追加したりした構成ではないため、嵩張ることもない。
【００１９】
さらに、第一の表示部３２を靴下１８の正面側へ折り返す一方で、第二の表示部３４を靴下１８の背面側へ折り返すため、表示部２４により立体的な表示を行うことができる。このため、第一の表示部３２と第二の表示部３４とのコントラスト等による装飾的効果を高めて、消費者の購買意欲を喚起できる。
【００２０】
以上、本発明の一実施形態について説明したが、本発明はその他の態様でも実施できる。例えば、図５に示す靴下吊り下げ具１０であってもよい。この靴下吊り下げ具１０は、表示部２４が一つの第一表示部３２と二つの第二表示部３４とに分割されず、一つの第一表示部３２と一つの第二表示部３４とに分割されている。このような表示部２４であっても、第一表示部３２及び第二表示部３４に靴下１８に関する表示を行うことができる。
【００２１】
また、本発明は図示した実施形態には限定されない。例えば、表示部が第一の表示部のみから構成されてもよい。また、基台部を吊り下げ部へ係合する手段はフックに限定されず、基台部に設けた係合溝等であってもよい。その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２２】
本発明の靴下吊り下げ具によれば、靴下の品質等に関する表示を十分に行える一方で、靴下自体が消費者にとって見えにくくなることがないとともに、嵩張ることもない。このため、店舗等で靴下を陳列するための靴下吊り下げ具として、広く利用できる。
【符号の説明】
【００２３】
１０：靴下吊り下げ具
１２：基台部
１４：掛止部
１６：バンド部
１８：靴下
２０：フック
２２：ポール（吊り下げ部）
２４：表示部
２６：下端
３２：第一の表示部
３４：第二の表示部
【図１】
2010200972.tif 000003
【図２】
2010200972.tif 000004
【図３】
2010200972.tif 000005
【図４】
2010200972.tif 000006
【図５】
2010200972.tif 000007